(57)【要約】【課題】開蓋確認手段を備えながらも容器の密閉性が高い水密性樹脂容器の提供を目的とする。【解決手段】身と蓋からなる水密性樹脂容器において、身の口部には内側環状壁部と外側環状壁部とで周溝状の嵌合凹部及び、その外側環状壁部の内側にＶ溝部を形成するとともに、内側環状壁部上端から内周側方向に延出させた環状密着面体を形成し、蓋には周状の嵌合突部及びその嵌合突部の外側に係止突部を形成し、身に蓋をした際には蓋の嵌合突部と係止突部とが身の嵌合凹部とＶ溝部とにそれぞれ嵌着及び係合するとともに、身に形成した環状密着面体を蓋の内側面に密着シールさせた。【選択図】  図１
2006069646.tif 000002
【特許請求の範囲】
【請求項１】
身と蓋からなる水密性樹脂容器において、身の口部には内側環状壁部と外側環状壁部とで周溝状の嵌合凹部及び、その外側環状壁部の内側にＶ溝部を形成するとともに、内側環状壁部上端から内周側方向に延出させた環状密着面体を形成し、蓋には周状の嵌合突部及びその嵌合突部の外側に係止突部を形成し、身に蓋をした際には蓋の嵌合突部と係止突部とが身の嵌合凹部とＶ溝部とにそれぞれ嵌着及び係合するとともに、身に形成した環状密着面体を蓋の内側面に密着シールさせたことを特徴とする水密性樹脂容器。
【発明の詳細な説明】
【技術分野】
【０００１】
本発明は、魚介類の加工食品など汁気のある食品を収納する、開蓋確認手段を備えた水密性樹脂容器に関する。
【背景技術】
【０００２】
汁気のある魚介類などの加工食品を店頭で展示し販売するための水密性樹脂容器は、外部から中身が見えるようにしつつ傾けた場合に汁が漏れないように、また、食品の鮮度を維持するために密閉状態で食品を収納している。
また、これらの容器には、容器の蓋と身との間の外周部分を周状に引き裂くことで蓋を開くことを可能とする引き裂きストリップ構造が多く採用されている。
この引き裂きストリップは、一度引き裂くと元にもどすことが出来ないことから、容器が不正に開けられていないかという開蓋確認手段として用いられている。
よって、これらの容器は蓋と身の嵌合部分に引き裂きストリップ構造とシール構造を併せて備えている。
蓋と身のシール部分に僅かでも隙間があると、毛細管現象により容器内の汁が外へ漏れてしまうため、容器は引き裂きストリップを備えた上で効果的な汁漏れ防止構造を併せ持つ必要がある。
例えば特開２００１−８０６６２号公報では、蓋の周縁部に設けた嵌入壁と、身の立上り壁に設けた嵌合溝とを合わせ、加えて、蓋側にも受け入れ溝を設け、この受け入れ溝に嵌合溝を形成する内壁を密着させて容器の密閉性向上を図る技術を開示する。
しかしながら、このように蓋側に受け入れ溝を設ける形状は成形しにくく、蓋形状の精度が得られにくいという問題がある。
【０００３】
【特許文献１】特開２００１−８０６６２号公報
【発明の開示】
【発明が解決しようとする課題】
【０００４】
本発明は上記技術的課題に鑑みて、開蓋確認手段を備えながらも容器の密閉性が高い水密性樹脂容器の提供を目的とする。
【課題を解決するための手段】
【０００５】
本発明の技術的要旨は、身と蓋からなる水密性樹脂容器において、身の口部には内側環状壁部と外側環状壁部とで周溝状の嵌合凹部及び、その外側環状壁部の内側にＶ溝部を形成するとともに、内側環状壁部上端から内周側方向に延出させた環状密着面体を形成し、蓋には周状の嵌合突部及びその嵌合突部の外側に係止突部を形成し、身に蓋をした際には蓋の嵌合突部と係止突部とが身の嵌合凹部とＶ溝部とにそれぞれ嵌着及び係合するとともに、身に形成した環状密着面体を蓋の内側面に密着シールさせた点である。
【０００６】
身は、底部と底部縁部に沿って周状に立設させた側壁部を備え、底部と側壁部にて囲み上方に開口した収納部を備える。
環状密着面体の密着方向は、蓋と身とを合わせる蓋閉じ方向となるため、密着面は蓋と身とを合わせる際の押圧力により蓋の内側面に押しつけられて密着する。
そのため蓋と環状密着面体との間に良好なシールラインが形成され、容器内からの汁の漏れを効果的に防止する。
嵌合凹部の外壁を形成する外側環状壁部の内周側面には周状に溝を形成し、一方、蓋には嵌合凹部に嵌め合わせる嵌合突部及び、嵌合突部外周に周状に係止突部を形成した趣旨は、このＶ溝に沿って外側環状壁部を引き裂くようにした点にあり、引き裂くことで係止突部の係合を解除する。
嵌合凹部と嵌合させる嵌合突部の断面形状は、略楔形状や台形状や四角形状等が考えられるが嵌合凹部に嵌合出来れば断面形状は特に限定されない。
身は弾性を備えて蓋を嵌合するために軟質樹脂にて成形し、蓋は収納品の視認性が良い透明な硬質樹脂で成形するとよい。
【発明の効果】
【０００７】
本発明に係る水密性樹脂容器においては、蓋を身に、蓋に周状に備えた嵌合突部と身の口部に周溝状に備えた嵌合凹部とを嵌め合わせることで嵌合装着させるが、嵌合凹部を形成している環状の立設片の内、内方向側の内側環状壁部上端に、蓋内側面に周状に密着する環状密着面体を備えているため、蓋と身とを合わせると、環状密着面体の密着面が蓋内側面に押しつけられて面密着したシールラインを形成する。
本発明において最も特徴的なのは、軟質樹脂で成形した身の上端に環状密着面体を形成したので、蓋を押圧する際に面で密着シールするとともに、蓋の係止突部と身のＶ溝で係合して密着面を押圧したまま保持できる点にある。
これにより、汁が漏れ出ない良好な密閉性が得られる。
容器に備える開蓋確認手段構造としては、ストリップ部を引くことで係止溝を引き裂いて蓋の係止突部の係合を解除して蓋を開ける構造がシンプルであるため成形しやすい。
【発明を実施するための最良の形態】
【０００８】
図３に本発明に係る水密性樹脂容器の実施例の外観図を示す。
図３（イ）は身２０に蓋４０をした状態を示し、図３（ロ）は蓋４０と身２０の分解図を示す。
水密性樹脂容器（以下単に容器と称する）１０は、図３（ロ）に示す身２０の内側の収納部２４に例えば汁気の多い加工食品を収納する。
蓋４０は収納物の内容や状態が分かりやすいように透明な硬質樹脂で成形し、身２０は蓋４０を弾性力を用いて密着嵌合するために軟質樹脂で成形する。
そして、身２０の口部２３に周溝状に形成した嵌合凹部３０に蓋４０の内側面に周状に形成した嵌合突部４２を嵌め込むことで身２０に蓋４０をする。
必要に応じて蓋４０上や身２０の下面に台座を設けた上で、同型の容器を上下に重ねる等して店頭に陳列する。
図３に示す容器の実施例の平面形状は略四角形であるが、容器の平面形状は図７に示すような円形の他、楕円形や、四角形以外の多角形などを必要に応じて設定すれば良く、その形状は限定されるものではない。
蓋４０は図３（イ）に示す身２０への嵌着状態では、図３（ロ）に示す係止突部４３が嵌合凹部３０内に形成している係止溝（Ｖ溝）と係合しているため、周状に設けているストリップ部３６を切り取らないと取り外し不能となっている。
この蓋４０の嵌着構造と取り外し方法については後述する。
図２に容器１０の一部を縦方向に切り取った図を示す。
図２（イ）は蓋４０をした状態を示し、図２（ロ）は蓋４０をする前の状態を示す。
図２（ロ）に示すように、身２０は底部２１の縁部に沿って周状に側壁部２２を立設させて、その内側に上方に開口した収納部２４を形成している。
身２０は側壁部２２上端を内側環状壁部３２と外側環状壁部３３へ分岐させることで断面略Ｕ字状の嵌合凹部３０を形成している。
蓋４０には内側面４１ａの周縁部に沿って環状に突出させた嵌合突部４２を形成し、図２（イ）に示すように嵌合凹部３０に嵌合し収納部２４の開口を塞ぐ。
【０００９】
図２における嵌合凹部３０付近の断面端面を拡大した模式図を図１に示す。
図１（ロ）に示すように蓋４０には平滑面である内側面４１ａから嵌合突部４２を垂下させている。
嵌合突部４２は断面形状を略楔形状としている。
蓋４０は天板部４１に嵌合突部４２を備えたシンプルな構造で成形がしやすく、薄くできる。
身２０の側壁部２２上端の口部２３には、溝状の嵌合凹部３０を内側環状壁部３２を内側の立設片とし、外側環状壁部３３を外側の立設片とし、環状壁連結部３１を凹部底部として形成している。
そして、内側環状壁部３２上端には、蓋内側面４１ａに沿って内向きに延出させた環状密着面体３５を口部２３に沿った周状に備えている。
また、蓋４０の嵌合突部４２には外周上に係止突部４３を設け、身２０の嵌合凹部３０には、外側環状壁部３３内周側にＶ溝として係止溝３４を設けている。
図１（イ）に示す蓋４０を身２０に嵌め合わせた状態では、嵌合凹部３０に嵌合突部４２が密着して蓋４０と身２０間をシールしている。
そして密着面体３５は平滑な密着面３５ａを備え、密着面３５ａを蓋内側面４１ａに周方向に連続的に密着させて身２０と蓋４０との間のシールラインを形成する。
密着面体３５の密着面３５ａは、蓋内側面４１ａに対して押圧状態で密着してシールラインを形成している。
これにより、収納部２４内に収納した食品の汁が漏れることを効果的に防止する。
蓋４０と身２０は、この嵌合状態では係止突部４３と係止溝３４とが係合して取り外し不能となっている。
【００１０】
外側環状壁部３３には係止溝（Ｖ溝）３４部分を薄肉の引き裂き溝部として、切り取り可能なストリップ部３６を蓋４０側に設けている。
この係止溝３４部分を引き裂いて、ストリップ部３６を取り外すと係止突部４３の係止溝に対する係合が解除される。
購入者は図３に示すつまみ３６ａを引き、係止溝部分を身２０の口部２３に沿って周状に切り、身２０からストリップ部３６を引き裂き取り外すと、図８（イ）に示すように係止突起４３の係止溝３４に対する係合が外れ、図８（ロ）に示すように蓋４０を身２０から取り外すことが出来る。
このように蓋を開くためにはストリップ部を剥きとる必要があり、ストリップ部はその状態を確認することで蓋を開けたか未開封状態であるかどうかが判断できる開蓋確認手段となっている。
図４には嵌合部分の他の実施例を示し、蓋４０ａの嵌合突部４２ａ幅及び、身２０ａの嵌合凹部３０ａの溝幅がストレートにした場合を示す。
本発明では身側に密着面３５ａを形成したので、嵌合突部が楔形状でなくてもある程度にシール性を確保できる。
図５は環状密着面体３５と密着させるように蓋内側面４１ｂに環状の段差部４４を形成した場合を示す。
このように環状密着面体３５と蓋内側面４１ｂとの密着性を得るために、蓋４０ｂ側に段差部４４にて受け面となる環状の密着面を形成してもよい。
また、図６は環状密着面体３５の蓋内側面４１ａへの押圧密着力を更に強くするために、蓋４０ｃの係止突部４３から蓋内側面４１ａまでの高さｈ１を、係止溝３４から環状密着面体３５の密着面３５ａまでの高さｈ２よりも短く設定した場合を示す。
つまり、係止突部４３と係止溝３４を係合させた時に、係止溝３４から密着面３５ａまでの部分の、内側環状壁部３２ａと環状密着面体３５厚みとを合わせた寸法を、嵌合突部４２ｂの係止突部４３から蓋内側面４１ａまでの部分の寸法よりも大きくする。
蓋４０ｃを硬質樹脂製として身２０ｃを軟質樹脂製としている場合には、その差分を吸収するために内側環状壁部３２ａと環状密着面体３５が収縮する。
そして、その反発力により密着面３５ａを蓋内側面４１ａへと押圧密着させるため、シール性をより強めることが出来る。
【図面の簡単な説明】
【００１１】
【図１】本発明に係る水密性樹脂容器の嵌合凹部付近の断面の拡大模式図を示す。
【図２】一部を切り取った水密性樹脂容器の外観図を示す。
【図３】水密性樹脂容器の外観図を示す。
【図４】水密性樹脂容器の嵌着部分の他の実施例を示す。
【図５】水密性樹脂容器の嵌着部分の他の実施例を示す。
【図６】水密性樹脂容器の嵌着部分の他の実施例を示す。
【図７】平面形状を円状にした水密性樹脂容器の外観図を示す
【図８】ストリップ部を取り外した状態の説明図を示す。
【符号の説明】
【００１２】
１０、１０ａ  水密性樹脂容器
２０、２０ａ、２０ｂ、２０ｃ  身
２１    底部
２２    身側壁部
２３    身口部
２４    収納部
３０、３０ａ  嵌合凹部
３１    環状壁連結部
３２、３２ａ    内側環状壁部
３３、３３ａ    外側環状壁部
３４    係止溝（Ｖ溝）
３５    環状密着面体
３５ａ  密着面体の密着面
３６    引き裂きストリップ部
３６ａ  引き裂きストリップ部つまみ
４０、４０ａ、４０ｂ、４０ｃ  蓋
４１    蓋天板部
４１ａ、４１ｂ  蓋内側面  
４２、４２ａ、４２ｂ  嵌合突部
４３    係止突起
４４    環状段差部
【図１】
2006069646.tif 000003
【図２】
2006069646.tif 000004
【図３】
2006069646.tif 000005
【図４】
2006069646.tif 000006
【図５】
2006069646.tif 000007
【図６】
2006069646.tif 000008
【図７】
2006069646.tif 000009
【図８】
2006069646.tif 000010